(57)【特許請求の範囲】
【請求項１】
机の天板上方に支持されたＯＡ機器載置用の棚板下面にキーーボード載置台を引出し自在に設け、このキーボード載置台は、棚板とほぼ平行に棚板下面に収納され、徐々に前下りの傾斜角度を大きくしながら引き出され、最大引出し状態で、所定角度の前傾姿勢で支持される事を特徴とする棚板におけるキーボード載置台。
【請求項２】
机の天板上方に支持されたＯＡ機器載置用の棚板下面に左右方向に所定間隔を有して配設された左右支持板と、左右支持板の後部内面に前上がり状態に配設され、前端に前ストッパー部が形成された後ローラー摺動溝を有するレール受け材と、後ローラー摺動溝の後端とほぼ同一高さで、左右支持板の前部内面に回転自在に配設された前ローラーと、前ローラーに外嵌する前ローラー摺動溝を有し、後端部に前記後ローラー摺動溝内に嵌合する後ローラーが回転自在に配設されたレール材を左右端部側に有するキーボード載置台から構成された事を特徴とする棚板におけるキーボード載置台。
【発明の詳細な説明】
【０００１】
【発明の属する技術分野】
本発明は、特にディーリングルームで使用されるディスプレイを載置する載置棚の棚板におけるキーボード載置台に関するものである。
【０００２】
【従来の技術】
近年、オフィスにおけるＯＡ機器の普及はめざましく、デスク上にキーボードやＣＲＴ等のディスプレイを設置して日常の作業が行われるようになっている。
特にディーリングルームで用いられるデスクでは複数台のＣＲＴディスプレイを設置して使用されており、したがって一部のディスプレイはデスク後方の載置棚の棚板上に設置して使用されている。
このようなディーリングデスクの場合、デスク上のディスプレイと棚板上のディスプレイのキーボード或いはマウスは明確に区別された場所に設置されなければならない。
【０００３】
この為、棚板上のディスプレイのキーボードとマウスは棚板下面に出入自在としたキーボード載置台に収納され、キーボードの操作等を起立姿勢で負担なく行えるよう、引出した状態でキーボード載置台の前傾姿勢が維持されるものが提供されている。（例えば、特許第３０５４１９０号）
しかしながら、従来のものは、水平状態で引き出されたキーボード載置台が最大引き出され状態で急に前傾するので、注意深く前傾操作をしないと（勢いよく引きだして前傾させると）、キーボード載置台上のキーボードが前方に浮き上がり、落下する危険があり、非常に使いづらかった。
【０００４】
【発明が解決しようとする課題】
本発明は上記問題に鑑みてなされたものであり、簡単な構造で、取り扱い等も容易な棚板におけるキーボード載置台を提供する事を課題とする。
【０００５】
【課題を解決する為の手段】
そこで、上記課題を解決する為、本発明の第１の手段として構成したところは、机の天板上方に支持されたＯＡ機器載置用の棚板下面にキーーボード載置台を引出し自在に設け、このキーボード載置台は、棚板とほぼ平行に棚板下面に収納され、徐々に前下りの傾斜角度を大きくしながら引き出され、最大引出し状態で、所定角度の前傾姿勢で支持されるものである。
【０００６】
次に本発明の第２の手段として構成したところは、机の天板上方に支持されたＯＡ機器載置用の棚板下面に左右方向に所定間隔を有して配設された左右支持板と、左右支持板の後部内面に前上がり状態に配設され、前端に前ストッパー部が形成された後ローラー摺動溝を有するレール受け材と、後ローラー摺動溝の後端とほぼ同一高さで、左右支持板の前部内面に回転自在に配設された前ローラーと、前ローラーに外嵌する前ローラー摺動溝を有し、後端部に前記後ローラー摺動溝内に嵌合する後ローラーが回転自在に配設されたレール材を左右端部側に有するものである。
【０００７】
【実施例】
以下、本発明を図面に基づいて説明する。
図１は本発明を具備したディーリングデスクの部分斜視図を示しており、符号１は机本体を示し、符号２は、前後方向の中央部で机本体１の左右側端部に連結された支柱を示し、符号３は机本体１の端部側に連結されたエンドパネルを示している。
机本体１は、対向した天板１１、１１と、天板１１、１１間に配設された着脱自在のディスプレイ台１２・・・と、コード挿通用スペース１３・・・と、着脱自在の配線カバー１４・・・等を有している。
支柱２は所定間隔を有して立設され、支柱２間にディスプレーが載置される棚板４・・・が配設され、棚板４の下面所定位置にキーボード載置台５が出入自在に設けられている。
【０００８】
キーボード載置台５は、左右方向に所定間隔を有する左右支持板６、６に、レール受け材７、７、前ローラー８、レール材９、９、後ローラー８０を介して出入自在に支持されている。（左右支持板６、６は対向した同形に形成されているので、以後、一方側についてのみ説明する。）
【０００９】
支持板６は、内面側が開口し、前後端部が閉塞され、下面側の前後方向中央部で連結補強板６２で左右側が連結され  前後端部の連結金具６１・・・を介して棚板４の下面に連結されている。
【００１０】
レール受け材７は、内面側が開口する断面略コ字型で、前後端部に前後ストッパー７１、７２を有し、前後ストッパー間を後ローラ摺動溝７３となし、支持板６の後部内面に前上がり状態に配設されている。符号７０は前ストッパー７１に設けられた緩衝部材を示している。
【００１１】
前ローラー８は、レール受け材７の後端部（後端ストッパー部７２）とほぼ同一高さ位置で、支持板６の前部内面に設けられた前ローラー取付座８１を介して、支持板６の厚みより内方に突出する位置で回転自在に設けられている。
【００１２】
レール材９は、外面側が開口し、前ローラー８が嵌合する前ローラー摺動溝９０を有する断面略コ字型で、後端部がキーボード載置板５の後端面の後方に突出してキーボード載置板５の左右端面に設けられ、この突出部の後端部外面に後ローラー摺動溝７３に嵌合する後ローラー８０が、後ローラー取付座８２を介して外方に突出して回転自在に設けられている。
【００１３】
符号９１、９１はキャッチ雄部を示し、符号９２、９２はキャッチ雌部を示している。
キャッチ雄部９１は、連結補強板６２の左右端部側に設けられたキャッチ雄部取付座９３、９３に設けられ、キャッチ雌部９２、９２は、キャッチ雄部９１、９１の位置に対応して、キーボード載置板５の後端面に設けられている。
【００１４】
本発明は上記の如く構成され、棚板４の下面にキーボード載置台５が収納された状態（図２、図３に示す状態）で、レール材９の後ローラー８０はレール受け材７に嵌合して、後ストッパー７２に近接し、キャッチ雌部９２、９２はキャッチ雄部９１、９１に係止し、前ローラー８がレール材９の前端部に嵌合して、キーボード載置台５は水平状態に維持されている。
【００１５】
この状態から、キーボード載置台５を前方に引出すと、載置板５が前方に移動するにしたがって、後ローラー８０は後ローラー摺動溝７３に沿って上方に移動し、キーボード載置板５は前ローラー８を中心として徐々に前下がりの傾斜角度を大きくしながら前方に移動する。（キーボード５の引出し途中を図３の仮想線で示す。）
【００１６】
そして、キーボード載置台５を最も引出した状態で、後ローラー８０は後ローラー摺動溝７３の前ストッパー７１に緩衝部材７０を介して当接し、キーボード載置台５は最大傾斜状態で停止し、自重によって、最大引出し状態が維持される。（図４、図５に示す状態）
【００１７】
次に最大引出し状態のキーボード載置台５を収納していくと前述とは逆に、キーボード載置台５は、徐々に傾斜角度を小さくしながら収納され、やがてキーボード載置台５の後端面に設けられたキャッチ雌部９２、９２は左右支持板６、６を連結する連結補強板６２のキャッチ雄部取付座９３、９３に設けられたキャッチ雄部９１、９１に係合し、収納方向への移動が停止し、略水平姿勢で維持される。
【００１８】
【発明の効果】
請求項１に記載の発明によると、キーボード載置台は、徐々に前下りの傾斜角度を大きくしながら引き出されるので、キーボードが載置されておれば引出し途中でキーボードが目視される事で必然的に注意深い操作となり、従来のように水平状態でキーボード載置台を勢いよく引きだして急に前傾させ、キーボードを落下させる事がなく、安全で使い勝手が良い。
又、請求項２に記載の発明によると、構造が簡単で安価に製作できる。
【図面の簡単な説明】
【図１】    本発明を具備したディーリングデスクの一部斜視図。
【図２】    キーボード載置台を収納した状態の正面図
【図３】    図２のＡ−Ａ線断面図
【図４】    キーボード載置台を引き出した状態の側面図
【図５】    図４のＢ−Ｂ線断面図
【符号の説明】
１                机
１１              天板
２                棚板
４                棚板
５                キーボード載置台
６                支持板
７                レール受け材
７１              前ストッパー
７２              後ストッパー
７３              後ローラー摺動溝
８                前ローラー
８０              後ローラー
９                レール材
９０              前ローラー摺動溝
【図１】
0003741977.tif 000002
【図２】
0003741977.tif 000003
【図３】
0003741977.tif 000004
【図４】
0003741977.tif 000005
【図５】
0003741977.tif 000006